(57)【要約】【課題】印刷物のシミュレーション表示において、当該印刷物の折り畳み／展開の各状態における加工領域の位置を、確認することができる技術を提供する。【解決手段】印刷物の仕上がり状態をシミュレーション表示する際に、印刷対象となるページデータを読み込むとともに、印刷後の印刷物の折り方を示す折り方情報と、印刷後の工程において加工対象となる領域を示す加工領域情報とを、指定する。そして、ページデータ、折り方情報、および加工領域情報に基づいて、印刷物の画像を折り畳み／展開状態で表示し、かつ、加工対象となる領域を透明化または強調表示する。このため、ユーザは、当該シミュレーション表示において、印刷物の折り畳み／展開の各状態における加工領域の位置を、確認することができる。【選択図】図５
2014187590.tif 000002
【特許請求の範囲】
【請求項１】
印刷物の仕上がり状態をシミュレーション表示する画像処理装置であって、
印刷対象となるページデータを読み込むページ読込部と、
印刷後の前記印刷物の折り方を示す折り方情報を指定する折り方情報指定部と、
印刷後の工程において加工対象となる領域を示す加工領域情報を指定する加工領域情報指定部と、
前記ページデータ、前記折り方情報、および前記加工領域情報に基づいて、前記印刷物の画像を折り畳み／展開状態で表示し、かつ、加工対象となる領域を透明化または強調表示する表示出力部と、
を有する画像処理装置。
【請求項２】
請求項１に記載の画像処理装置であって、
前記加工領域情報は、印刷後に切り落とされる切除領域を示す情報を含み、
前記表示出力部は、前記切除領域を透明化して表示する画像処理装置。
【請求項３】
請求項１または請求項２に記載の画像処理装置であって、
前記加工領域情報は、印刷後の加工のために印刷を禁止すべき禁止領域を示す情報を含み、
前記表示出力部は、前記禁止領域を強調表示する画像処理装置。
【請求項４】
請求項１から請求項３までのいずれかに記載の画像処理装置であって、
前記ページデータおよび前記加工領域情報に基づいて、ページデータ内の画像の位置と、加工対象となる領域との位置関係が、適切であるか否かを判定する判定部をさらに有する画像処理装置。
【請求項５】
請求項１から請求項４までのいずれかに記載の画像処理装置であって、
前記表示出力部は、前記加工領域情報に基づく透明化または強調表示のＯＮ／ＯＦＦを切り替える切替部をさらに有する画像処理装置。
【請求項６】
請求項１から請求項５までのいずれかに記載の画像処理装置であって、
前記折り方情報および前記加工領域情報の少なくとも一方を、テンプレートとして読み出し可能に記憶する記憶部をさらに有する画像処理装置。
【請求項７】
請求項１から請求項６までのいずれかに記載の画像処理装置であって、
前記加工領域情報指定部は、前記ページデータと同形式のマスクデータにおいて、加工対象となる領域を着色により指定する画像処理装置。
【請求項８】
印刷物の仕上がり状態をシミュレーション表示する画像処理方法であって、
ａ）印刷対象となるページデータを読み込む工程と、
ｂ）印刷後の前記印刷物の折り方を示す折り方情報を指定する工程と、
ｃ）印刷後の工程において加工対象となる領域を示す加工領域情報を指定する工程と、
ｄ）前記ページデータ、前記折り方情報、および前記加工領域情報に基づいて、前記印刷物の画像を折り畳み／展開状態で表示し、かつ、加工対象となる領域を透明化または強調表示する工程と、
を含む画像処理方法。
【請求項９】
印刷物の仕上がり状態をシミュレーション表示するための画像処理プログラムであって、
前記画像処理プログラムをコンピュータのＣＰＵがメモリにおいて実行することにより、前記コンピュータに、
ａ）印刷対象となるページデータを読み込む処理と、
ｂ）印刷後の前記印刷物の折り方を示す折り方情報を指定する処理と、
ｃ）印刷後の工程において加工対象となる領域を示す加工領域情報を指定する処理と、
ｄ）前記ページデータ、前記折り方情報、および前記加工領域情報に基づいて、前記印刷物の画像を折り畳み／展開状態で表示し、かつ、加工対象となる領域を透明化または強調表示する処理と、
を実行させる画像処理プログラム。
【発明の詳細な説明】
【技術分野】
【０００１】
本発明は、印刷物の仕上がり状態をシミュレーション表示する画像処理装置、画像処理方法、および画像処理プログラムに関する。
【背景技術】
【０００２】
従来、試し刷りをすることなく印刷前の校正を行うために、印刷物の仕上がり状態を画面上に表示して確認する画像処理技術が知られている。特に、近年では、印刷後の紙折りを反映させて印刷物の表示を行う技術が提案されている。紙折りを考慮した印刷物の表示方法として、例えば、特許文献１には、ユーザによる紙折り方法の指示を取得し、取得された紙折り方法に応じたテンプレート画像に印刷データ画像を合成したプレビュー画像を表示することが、記載されている（請求項１）。
【先行技術文献】
【特許文献】
【０００３】
【特許文献１】特開２００８−３０２５１８号公報
【発明の概要】
【発明が解決しようとする課題】
【０００４】
印刷物の中には、印刷後に、紙折りだけではなく、印刷物に穴開けやコーナーカット等の加工を行うものがある。例えば、ダイレクトメール等に使用される圧着はがきを作成するときには、印刷用紙の表裏両面に印刷を行った後、穴開けにより丸窓を形成して、当該印刷用紙を折り畳む。その結果、丸窓を介して「郵便はがき」の文字が見えるようになっている（図８〜図１０参照）。このような圧着はがきでは、穴開けにより形成される丸窓と「郵便はがき」の文字との折り畳み後の位置関係が、校正作業における重要な確認項目となる。
【０００５】
しかしながら、従来、穴開けやコーナーカット等の加工を反映させて、印刷物の仕上がり状態を表示する技術は、提案されていなかった。このため、加工領域と印刷画像との折り畳み後の位置関係が、適切であるか否かを、画面上で確認することはできなかった。
【０００６】
本発明は、このような事情に鑑みなされたものであり、印刷物のシミュレーション表示において、当該印刷物の折り畳み／展開の各状態における加工領域の位置を、確認することができる画像処理装置、画像処理方法、および画像処理プログラムを提供することを目的とする。
【課題を解決するための手段】
【０００７】
上記課題を解決するため、本願の第１発明は、印刷物の仕上がり状態をシミュレーション表示する画像処理装置であって、印刷対象となるページデータを読み込むページ読込部と、印刷後の前記印刷物の折り方を示す折り方情報を指定する折り方情報指定部と、印刷後の工程において加工対象となる領域を示す加工領域情報を指定する加工領域情報指定部と、前記ページデータ、前記折り方情報、および前記加工領域情報に基づいて、前記印刷物の画像を折り畳み／展開状態で表示し、かつ、加工対象となる領域を透明化または強調表示する表示出力部と、を有する。
【０００８】
本願の第２発明は、第１発明の画像処理装置であって、前記加工領域情報は、印刷後に切り落とされる切除領域を示す情報を含み、前記表示出力部は、前記切除領域を透明化して表示する。
【０００９】
本願の第３発明は、第１発明または第２発明の画像処理装置であって、前記加工領域情報は、印刷後の加工のために印刷を禁止すべき禁止領域を示す情報を含み、前記表示出力部は、前記禁止領域を強調表示する。
【００１０】
本願の第４発明は、第１発明から第３発明までのいずれかの画像処理装置であって、前記ページデータおよび前記加工領域情報に基づいて、ページデータ内の画像の位置と、加工対象となる領域との位置関係が、適切であるか否かを判定する判定部をさらに有する。
【００１１】
本願の第５発明は、第１発明から第４発明までのいずれかの画像処理装置であって、前記表示出力部は、前記加工領域情報に基づく透明化または強調表示のＯＮ／ＯＦＦを切り替える切替部をさらに有する。
【００１２】
本願の第６発明は、第１発明から第５発明までのいずれかの画像処理装置であって、前記折り方情報および前記加工領域情報の少なくとも一方を、テンプレートとして読み出し可能に記憶する記憶部をさらに有する。
【００１３】
本願の第７発明は、第１発明から第６発明までのいずれかの画像処理装置であって、前記加工領域情報指定部は、前記ページデータと同形式のマスクデータにおいて、加工対象となる領域を着色により指定する。
【００１４】
本願の第８発明は、印刷物の仕上がり状態をシミュレーション表示する画像処理方法であって、ａ）印刷対象となるページデータを読み込む工程と、ｂ）印刷後の前記印刷物の折り方を示す折り方情報を指定する工程と、ｃ）印刷後の工程において加工対象となる領域を示す加工領域情報を指定する工程と、ｄ）前記ページデータ、前記折り方情報、および前記加工領域情報に基づいて、前記印刷物の画像を折り畳み／展開状態で表示し、かつ、加工対象となる領域を透明化または強調表示する工程と、を含む。
【００１５】
本願の第９発明は、印刷物の仕上がり状態をシミュレーション表示するための画像処理プログラムであって、前記画像処理プログラムをコンピュータのＣＰＵがメモリにおいて実行することにより、前記コンピュータに、ａ）印刷対象となるページデータを読み込む処理と、ｂ）印刷後の前記印刷物の折り方を示す折り方情報を指定する処理と、ｃ）印刷後の工程において加工対象となる領域を示す加工領域情報を指定する処理と、ｄ）前記ページデータ、前記折り方情報、および前記加工領域情報に基づいて、前記印刷物の画像を折り畳み／展開状態で表示し、かつ、加工対象となる領域を透明化または強調表示する処理と、を実行させる。
【発明の効果】
【００１６】
本願の第１発明〜第９発明によれば、印刷物のシミュレーション表示において、当該印刷物の折り畳み／展開の各状態における加工領域の位置を、確認することができる。
【００１７】
特に、本願の第２発明によれば、シミュレーション表示において、印刷物を折り畳んだときに、透明化された切除領域の下に重なる他の領域の画像を表示させることができる。
【００１８】
特に、本願の第３発明によれば、シミュレーション表示において、禁止領域に印刷がされていないことを、容易に確認できる。
【００１９】
特に、本願の第４発明によれば、ページデータ内の画像の位置と、加工対象となる領域との位置関係が適切であるか否かを、自動的に判定できる。これにより、ユーザの確認負担を軽減できる。
【００２０】
特に、本願の第５発明によれば、シミュレーション表示において、透明化または強調表示の有無を、任意に選択できる。
【００２１】
特に、本願の第６発明によれば、記憶部からテンプレートを読み出すことにより、折り方情報および加工領域情報の少なくとも一方を容易に指定できる。
【００２２】
特に、本願の第７発明によれば、シミュレーション表示の際に、ページデータにマスクデータを容易に合成できる。
【図面の簡単な説明】
【００２３】
【図１】画像処理装置の構成を概念的に示した図である。
【図２】ページデータの例を示した図である。
【図３】折り方テンプレートの例を概念的に示した図である。
【図４】マスクデータの例を示した図である。
【図５】シミュレーション表示の処理の流れを示したフローチャートである。
【図６】ジョブ作成画面の例を示した図である。
【図７】ジョブ選択画面の例を示した図である。
【図８】シミュレーション画面の例を示した図である。
【図９】シミュレーション画面の例を示した図である。
【図１０】シミュレーション画面の例を示した図である。
【発明を実施するための形態】
【００２４】
以下、本発明の好適な実施形態について、図面を参照しつつ説明する。
【００２５】
＜１．画像処理装置の構成＞
図１は、本発明の一実施形態に係る画像処理装置１の構成を、概念的に示した図である。この画像処理装置１は、印刷物の仕上がり状態をシミュレーション表示する装置である。画像処理装置１は、例えば、商業印刷の分野において、入稿された印刷物の仕上がり状態を印刷前に画面上で確認し、その校正作業を行うために使用される。
【００２６】
この画像処理装置１は、ＣＰＵ、メモリ等の演算処理部を有するコンピュータ１０に、画像処理プログラムＰをインストールすることにより、構成されている。図１に示すように、コンピュータ１０は、記憶部２０、ジョブ作成部２１、表示出力部２２、および判定部２３を有する。記憶部２０は、例えば、ハードディスクドライブやＲＡＭ等の記憶装置により実現される。本実施形態の記憶部２０には、画像処理プログラムＰと、後述する折り方テンプレート６２およびマスクデータ６３とが、記憶されている。ジョブ作成部２１、表示出力部２２、および判定部２３の各機能は、コンピュータ１０の演算処理部が、画像処理プログラムＰに基づいて動作することにより、実現される。
【００２７】
また、コンピュータ１０には、表示部３０、入力部４０、サーバ５０、および光ディスク８１から画像処理プログラムＰを読み込む光学ドライブ８０が、それぞれ接続されている。コンピュータ１０は、これらの表示部３０、入力部４０、サーバ５０、および光学ドライブ８０との間で、種々のデータを送受信することができる。
【００２８】
表示部３０は、後述するジョブ作成画面７１、ジョブ選択画面７２、およびシミュレーション画面７３を表示するための部位である。表示部３０には、例えば、液晶ディスプレイが使用される。入力部４０は、コンピュータ１０に対してコマンドを入力するための部位である。入力部４０には、例えば、キーボードやマウスが使用される。画像処理装置１のユーザは、表示部３０を確認しながら、入力部４０を操作して、種々の情報をコンピュータ１０に入力することができる。
【００２９】
なお、表示部３０の機能と、入力部４０の機能との双方が、タッチパネル式のディスプレイなどの単一のデバイスにより、実現されていてもよい。
【００３０】
サーバ５０は、コンピュータ１０の外部に設置された記憶装置である。サーバ５０は、画像処理装置１のコンピュータ１０に接続されているとともに、通信回線を介して他のコンピュータにも接続されている。このため、サーバ５０は、画像処理装置１から離れた場所に位置する他のコンピュータとの間で、データの送受信を行うことができる。
【００３１】
ジョブ作成部２１は、シミュレーション表示に必要な情報一式を保持するジョブ６０を、印刷物ごとに作成するための部位である。ジョブ作成部２１は、後述するジョブ作成画面７１（図６参照）において指定される種々の情報を統合して、単一のジョブ６０を作成する。図１に示すように、本実施形態のジョブ作成部２１は、ページ読込部２１１、折り方情報指定部２１２、および加工領域情報指定部２１３を含んでいる。
【００３２】
ページ読込部２１１は、印刷対象となるページデータ６１を読み込むための部位である。ページデータ６１は、例えば、PDF（Portable Document Format）やPostScript（米アドビ・システムズ社の登録商標）等の形式で作成される。また、入稿されたページデータ６１は、予め編集されて、サーバ５０に保存されている。ページ読込部２１１は、当該サーバ５０に保存されたページデータ６１を、コンピュータ１０へ読み出す。
【００３３】
図２は、ページデータ６１の例を示した図である。本実施形態では、３連タイプの圧着はがきを作成する場合について、説明する。圧着はがきを作成するときには、用紙の表裏両面に印刷を行った後、周辺領域６１２が断裁される。また、その後の工程において、穴開け、コーナーカット、搬送、糊付け、折り畳み、宛名印字等の加工が施されて、圧着はがきが完成する。図２のページデータ６１は、圧着はがきの表面用のデータである。ページ読込部２１１は、図２のような表面用のページデータ６１と、図示しない裏面用のページデータ６１とを、サーバ５０から読み出す。また、当該一対のページデータ６１を、それぞれ表面用および裏面用として指定する。
【００３４】
なお、表面用のページデータ６１と、裏面用のページデータ６１とは、必ずしも別個のデータファイルでなくてもよい。例えば、単一のPDFファイルに、表面用のページと、裏面用のページとの双方が含まれ、各ページを、それぞれ表面用および裏面用として指定してもよい。
【００３５】
また、図２に示すように、ページデータ６１には、断裁後に残る仕上がり領域６１１の画像だけではなく、断裁により切り落とされる周辺領域６１２の画像も含まれている。周辺領域６１２には、印刷機での位置決めに使用されるアライメントマーク６１３などが配置される。ただし、ページデータ６１には、後述する折り方情報や加工領域情報は、含まれていない。
【００３６】
折り方情報指定部２１２は、印刷・断裁後の印刷物の折り方を示す折り方情報を、指定するための部位である。本実施形態では、折り方情報が、予め作成された折り方テンプレート６２として、記憶部２０に複数保存されている。折り方情報指定部２１２は、ユーザの操作に基づき、記憶部２０から任意の折り方テンプレート６２を読み出す。これにより、折り方情報を指定する。このように、折り方情報を予めテンプレート化しておけば、ジョブ６０の作成時に、折り方情報を容易に指定できる。
【００３７】
図３は、折り方テンプレート６２の例を概念的に示した図である。図３の折り方テンプレート６２は、図２の圧着はがきに対応するものであり、山折りの折り目６２１と、谷折りの折り目６２２とを有している。このように、折り方テンプレート６２には、折り目の位置、方向、山折り／谷折りの区別、折り順等の情報が含まれている。
【００３８】
加工領域情報指定部２１３は、印刷後に特定の加工が行われる領域を示す加工領域情報を、指定するための部位である。本実施形態では、加工領域情報が、予め作成されたテンプレートであるマスクデータ６３として、記憶部２０に複数保存されている。加工領域情報指定部２１３は、ユーザの操作に基づき、記憶部２０から任意のマスクデータ６３を読み出す。これにより、加工領域情報を指定する。このように、加工領域情報を予めテンプレート化しておけば、ジョブ６０の作成時に、加工領域情報を容易に指定できる。
【００３９】
図４は、マスクデータ６３の例を示した図である。図４のマスクデータ６３は、図２の圧着はがきに対応するものである。本実施形態では、マスクデータ６３に、ページデータ６１と同形式のデータ（例えばPDFデータ）が使用されている。そして、当該マスクデータ６３内において、加工対象となる領域が、着色により指定されている。このように、マスクデータ６３を、ページデータ６１と同形式のデータで作成すれば、後述するシミュレーション表示の際に、ページデータ６１にマスクデータ６３を合成する処理が容易となる。また、着色を利用することで、加工対象となる領域を視覚的に確認することが容易となる。
【００４０】
図４の例では、印刷・断裁後の工程において、穴開けおよびコーナーカットにより切り落とされる切除領域６３１が、第１の色で着色されている。また、搬送や宛名印字のために印刷を禁止すべき禁止領域６３２が、第１の色とは異なる第２の色で着色されている。このように、加工対象となる複数の領域を、その属性ごとに異なる色で着色すれば、それらの領域を情報として区別できるとともに、それらの領域をマスクデータ６３上で視覚的に区別することもできる。
【００４１】
ジョブ作成部２１は、上述したページデータ６１、折り方テンプレート６２、およびマスクデータ６３を統合して、ジョブ６０を作成する。したがって、ジョブ６０には、ページデータ６１、折り方テンプレート６２、およびマスクデータ６３の各情報が含まれる。
【００４２】
表示出力部２２は、ジョブ６０に基づいて、表示部３０に、印刷物の仕上がり状態をシミュレーション表示するための部位である。表示出力部２２は、ページデータ６１の仕上がり領域６１１の画像を、折り方テンプレート６２に従って、折り畳み／展開状態で表示する。折り畳み／展開状態の選択は、例えば、ユーザが入力部４０を操作することにより生じる入力信号に基づいて、行われる。また、表示出力部２２は、ページデータ６１にマスクデータ６３を合成（マスキング）して、表示部３０に表示する。これにより、印刷物の加工対象となる領域を、部分的に透明化または着色して表示する。
【００４３】
また、表示出力部２２は、シミュレーション表示を行うためのデータを、サーバ５０に保存する。このため、コンピュータ１０から離れた場所にいるユーザが、サーバ５０から通信回線を介して当該データを取得し、手元の画面上で印刷物のシミュレーション表示を確認することができる。その場合、シミュレーション表示を行うためのビューアとして、例えば、ウェブブラウザを使用することができる。
【００４４】
判定部２３は、ジョブ６０に基づいて、印刷位置の適否を判定するための部位である。判定部２３は、折り畳み／展開の各表示状態において、ページデータ内の画像の位置と、加工対象となる領域との位置関係が、適切であるか否かを自動的に判定する。例えば、切除領域６３１と、折り畳み後にその下に配置されるべき画像とが、適切に重なっているか、あるいは、禁止領域６３２に印刷画像が含まれていないか、などを自動的に判定する。
【００４５】
＜２．シミュレーション表示の処理について＞
図５は、画像処理装置１において、印刷物の仕上がり状態をシミュレーション表示するときの処理の流れを示したフローチャートである。図５の処理は、コンピュータ１０が、画像処理プログラムＰおよび入力部４０から入力される情報を参照しつつ、ジョブ作成部２１、表示出力部２２、および判定部２３を動作させることにより、実行される。以下、図５のフローチャートを参照しつつ、シミュレーション表示の処理について説明する。
【００４６】
画像処理装置１において、シミュレーション表示を行うときには、まず、コンピュータ１０が、表示部３０にジョブ作成画面７１を表示する。図６は、ジョブ作成画面７１の例を示した図である。図６の例では、ジョブ作成画面７１内に、ジョブ名、表面用のページデータ６１、裏面用のページデータ６１、折り方テンプレート６２、およびマスクデータ６３を、それぞれ指定する欄が設けられている。
【００４７】
画像処理装置１のユーザは、入力部４０を操作して、これらの各欄に情報を入力する。その結果、ジョブ名、表面用のページデータ６１、裏面用のページデータ６１、折り方テンプレート６２、およびマスクデータ６３が、指定される。その後、画像処理装置１のユーザは、入力部４０を操作して、ジョブ作成画面７１の下部に設けられたジョブ作成ボタン７１１を選択する。そうすると、ジョブ作成部２１が、ジョブ６０を作成する処理を実行する（ステップＳ１０）。
【００４８】
図５に示すように、ステップＳ１０のジョブ作成処理は、具体的には、ページデータ６１の読み込み（ステップＳ１１）、折り方テンプレート６２の指定（ステップＳ１２）、およびマスクデータ６３の指定（ステップＳ１３）の３つの工程を含んでいる。なお、ステップＳ１１〜Ｓ１３の処理は、任意の順序で実行することができる。
【００４９】
ステップＳ１１では、ページ読込部２１１が、印刷対象となるページデータ６１を読み込む。本実施形態では、ジョブ作成画面７１において指定された表面用のページデータ６１と、裏面用のページデータ６１とが、サーバ５０から読み出される。
【００５０】
ステップＳ１２では、折り方情報指定部２１２が、折り方テンプレート６２を指定する。本実施形態では、予め記憶部２０に保存された複数の折り方テンプレート６２の中から、ジョブ作成画面７１において指定された折り方テンプレート６２が、読み出される。これにより、後述するシミュレーション表示に用いられる折り方情報が指定される。
【００５１】
ステップＳ１３では、加工領域情報指定部２１３が、穴開けやコーナーカット等の加工が行われる領域を示すマスクデータ６３を指定する。本実施形態では、予め記憶部２０に保存された複数のマスクデータ６３の中から、ジョブ作成画面７１において指定されたマスクデータ６３が、読み出される。これにより、加工対象となる領域が指定される。
【００５２】
ジョブ作成部２１は、ステップＳ１１〜Ｓ１３において指定されたページデータ６１、折り方テンプレート６２、およびマスクデータ６３を統合して、単一のジョブ６０を作成する。
【００５３】
ジョブ６０が作成されると、コンピュータ１０は、表示部３０にジョブ選択画面７２を表示する。図７は、ジョブ選択画面７２の例を示した図である。図７の例では、ジョブ選択画面７２の左側のジョブリスト欄７２１に、作成済みの複数のジョブ６０が表示されている。画像処理装置１のユーザは、入力部４０を操作して、ジョブリスト欄７２１の複数のジョブ６０の中から、任意のジョブ６０を選択する。そうすると、ジョブ選択画面７２の右側のジョブ情報欄７２２に、選択されたジョブ６０に関する情報と、当該ジョブ６０に含まれるページデータ６１のサムネイル画像とが、表示される。
【００５４】
また、ジョブ選択画面７２には、表面と裏面のそれぞれについて、シミュレーション表示の実行を指示するシミュレーション開始ボタン７２３が、設けられている。画像処理装置１のユーザが、入力部４０を操作して、シミュレーション開始ボタン７２３を選択すると、表示出力部２２が、選択されたジョブ６０に基づいて、表示部３０に印刷物のシミュレーション表示を行う（ステップＳ２０）。
【００５５】
図８〜図１０は、ステップＳ２０において表示部３０に表示されるシミュレーション画面７３の例を示した図である。図８〜図１０のように、シミュレーション画面７３には、ページデータ６１内の仕上がり領域６１１の画像が表示される。また、画像処理装置１のユーザは、入力部４０を操作（例えば、マウスで画像をドラッグ）することによって、シミュレーション画面７３内の画像を、あたかも折り畳み／展開されたように、表示させることができる。この折り畳み／展開の動作は、折り方テンプレート６２により指定される折り目６２１，６２２に基づいて実行される。
【００５６】
また、シミュレーション画面７３では、ページデータ６１にマスクデータ６３が合成されて、表示される。例えば、マスクデータ６３により指定された切除領域６３１が、透明化されて表示される。このため、図９や図１０のように折り畳まれた状態においては、切除領域６３１の下に重なる他の領域の画像を、表示させることができる。したがって、例えば、折り畳み後の圧着はがきにおいて、穴開けにより形成された丸窓内に、「郵便はがき」の文字が適切に配置されるか否かを、シミュレーション画面７３において確認することができる。
【００５７】
また、シミュレーション画面７３では、マスクデータ６３により指定された禁止領域６３２が、着色等で強調表示される。このため、ユーザは、禁止領域６３２に印刷画像が含まれていないことを、シミュレーション画面７３上で確認することができる。なお、着色に代えて、輪郭を太線で表示するなどして、禁止領域６３２を強調表示してもよい。
【００５８】
このように、本実施形態の画像処理装置１では、シミュレーション画面７３において、印刷物の画像を折り畳み／展開状態で表示し、かつ、加工対象となる領域６３１，６３２を透明化または強調表示する。このため、シミュレーション画面７３において、当該印刷物の折り畳み／展開の各状態における加工領域の位置を、確認することができる。
【００５９】
また、図８〜図１０に示すように、本実施形態のシミュレーション画面７３には、表示切替ボタン７３１と、自動判定ボタン７３２とが、設けられている。
【００６０】
ユーザが、入力部４０を操作して表示切替ボタン７３１を選択すると、切除領域６３１の透明化または禁止領域６３２の強調表示のＯＮ／ＯＦＦが切り替わる。すなわち、本実施形態の表示出力部２２は、シミュレーション画面７３における部分的な透明化または強調表示のＯＮ／ＯＦＦを切り替える切替部を有している。したがって、画像処理装置１のユーザは、シミュレーション画面７３において、透明化または強調表示の有無を、任意に選択できる。
【００６１】
また、ユーザが、入力部４０を操作して自動判定ボタン７３２を選択すると、判定部２３が、上述した切除領域６３１と印刷画像との位置関係が適切であるか、または、上述した禁止領域６３２に印刷画像が含まれていないかを、自動的に判定する。これにより、ユーザが印刷物の仕上がり状態を確認する作業負担が、軽減される。
【００６２】
＜３．変形例＞
以上、本発明の一実施形態について説明したが、本発明は、上記の実施形態に限定されるものではない。
【００６３】
上記の実施形態では、３連タイプの圧着はがきの例を示したが、本発明は、圧着はがきだけではなく、印刷後に折り畳まれる種々の印刷物のシミュレーション表示に適用することができる。また、折り方情報を適切に指定すれば、印刷物を任意の折り方でシミュレーション表示させることができる。したがって、２連はがきや３連はがきのような単純な折り方だけなく、変則的な折り方にも対応することができる。例えば、印刷物の中に、縦横の折り目が混在していてもよい。
【００６４】
また、折り方情報および加工領域情報は、テンプレート化せず、ジョブ６０を作成する度に入力部４０から入力してもよい。ただし、ジョブ作成時の作業負担を軽減するために、汎用的な折り方や加工領域については、テンプレート化しておくことが好ましい。すなわち、折り方情報および加工領域情報の少なくとも一方を、テンプレートとして読み出し可能に記憶しておき、当該情報を容易に読み出せるようにしておくことが好ましい。
【００６５】
また、上記の実施形態では、シミュレーション画面７３において、仕上がり領域６１１のみを表示したが、所定の操作を行うことにより、周辺領域６１２の表示／非表示を切り替えることができるようになっていてもよい。そのようにすれば、ページデータ６１内における仕上がり領域６１１の位置や、塗り足しの有無を確認することができる。
【００６６】
また、表示部３０に表示されるジョブ作成画面７１、ジョブ選択画面７２、およびシミュレーション画面７３は、同等の内容を表示するものであれば、他の表示態様であってもよい。
【００６７】
また、上記の実施形態や変形例に登場した各要素を、矛盾が生じない範囲で、適宜に組み合わせてもよい。
【符号の説明】
【００６８】
１  画像処理装置
１０  コンピュータ
２１  ジョブ作成部
２２  表示出力部
２３  判定部
３０  表示部
４０  入力部
５０  サーバ
６０  ジョブ
６１  ページデータ
６２  折り方テンプレート
６３  マスクデータ
７３  シミュレーション画面
７１  ジョブ作成画面
７２  ジョブ選択画面
８０  光学ドライブ
８１  光ディスク
２１１  ページ読込部
２１２  折り方情報指定部
２１３  加工領域情報指定部
６１１  仕上がり領域
６１２  周辺領域
６２１，６２２  折り目
６３１  切除領域
６３２  禁止領域
Ｐ  画像処理プログラム
【図１】
2014187590.tif 000003
【図２】
2014187590.tif 000004
【図３】
2014187590.tif 000005
【図４】
2014187590.tif 000006
【図５】
2014187590.tif 000007
【図６】
2014187590.tif 000008
【図７】
2014187590.tif 000009
【図８】
2014187590.tif 000010
【図９】
2014187590.tif 000011
【図１０】
2014187590.tif 000012